(57)【要約】本発明は、送信機（ＢＳ）のアンテナ（Ａ１、Ａ２）と受信機（ＭＳ）のアンテナとの間の少なくとも１つの接続（ＣＨ１３〜ＣＨ２４）について時間領域において少なくとも１つのチャネルインパルス応答が測定され、あらかじめ定義されたしきい値より高い電力を有する上記少なくとも１つのチャネルインパルス応答の１つまたは複数の時間間隔に関連する少なくとも１つの複素係数のみがフィードバックされ、無線伝送のパラメータが、フィードバックされた少なくとも１つのチャネルインパルス応答に基づいて上記少なくとも１つの接続（ＣＨ１３〜ＣＨ２４）に割り当てられる、チャネルフィードバックの圧縮を使用して無線通信ネットワークにおいて無線伝送のパラメータを割り当てるための方法、そのためのネットワーク要素および無線通信ネットワークに関する。
2011526108.tif 000002
【特許請求の範囲】
【請求項１】
チャネルフィードバックの圧縮を使用して無線通信ネットワークにおける無線伝送のパラメータを割り当てる方法であって、
送信機（ＢＳ）のアンテナ（Ａ１、Ａ２）と受信機（ＭＳ）のアンテナとの間の少なくとも１つの接続（ＣＨ１３〜ＣＨ２４）について時間領域における少なくとも１つのチャネルインパルス応答が測定され、
あらかじめ定義されたしきい値より高い電力を有する前記少なくとも１つのチャネルインパルス応答の１つまたは複数の時間間隔に関連する少なくとも１つの複素係数のみがフィードバックされ、
無線伝送のパラメータが、フィードバックされる前記少なくとも１つのチャネルインパルス応答に基づいて前記少なくとも１つの接続（ＣＨ１３〜ＣＨ２４）に割り当てられる、方法。
【請求項２】
前記１つまたは複数の時間間隔における前記少なくとも１つの複素係数が、少なくとも１つの実振幅の少なくとも１つの時間平均値および少なくとも１つの可変複素部分からなり、
前記少なくとも１つの実振幅の前記少なくとも１つの時間平均値が、前記少なくとも１つの可変複素部分に関する情報より少ない頻度でフィードバックされる、請求項１に記載の方法。
【請求項３】
前記可変複素部分のフィードバックに使用されるビットの量が、前記１つまたは複数の時間間隔における前記少なくとも１つの複素係数から前記少なくとも１つの実振幅の前記少なくとも１つの時間平均値の最大偏差を示すために必要とされるビットの量に制限される、請求項２に記載の方法。
【請求項４】
前記１つまたは複数の時間間隔の少なくとも１つの遅延が、前記少なくとも１つの複素係数の少なくとも１つの位相より少ない頻度でフィードバックされる、請求項１に記載の方法。
【請求項５】
前記少なくとも１つのチャネルインパルス応答が、前記あらかじめ定義されたしきい値との比較の前にローパスフィルタによってフィルタリングされる、請求項１に記載の方法。
【請求項６】
前記１つまたは複数の時間間隔を決定するために、前記少なくとも１つのチャネルインパルス応答が時間またはアンテナリンクにわたって平均化される、請求項１に記載の方法。
【請求項７】
無線通信ネットワークにおいて無線伝送のパラメータを割り当てるためにチャネルフィードバックの圧縮を行うように構成されたネットワーク要素（ＭＳ）であって、
さらなるネットワーク要素（ＢＳ）のアンテナ（Ａ１、Ａ２）と前記ネットワーク要素（ＭＳ）のアンテナ（Ａ３、Ａ４）との間の少なくとも１つの接続（ＣＨ１３〜ＣＨ２４）について時間領域における少なくとも１つのチャネルインパルス応答を測定し、
前記少なくとも１つのチャネルインパルス応答の電力をあらかじめ定義されたしきい値と比較し、
前記あらかじめ定義されたしきい値より高い電力を有する前記少なくとも１つのチャネルインパルス応答の１つまたは複数の時間間隔に関連する少なくとも１つの複素係数のみを送信する、
ように構成された少なくとも１つの処理手段を含む、ネットワーク要素（ＭＳ）。
【請求項８】
前記ネットワーク要素（ＭＳ）が移動端末である、請求項６に記載のネットワーク要素（ＭＳ）。
【請求項９】
チャネルフィードバックの圧縮を用いて無線通信ネットワークにおいて無線伝送のパラメータの割当てを行うように構成されたネットワーク要素（ＢＳ）であって、
前記ネットワーク要素（ＢＳ）のアンテナ（Ａ３、Ａ４）とさらなるネットワーク要素（ＭＳ）のアンテナ（Ａ１、Ａ２）との間の少なくとも１つの接続（ＣＨ１３〜ＣＨ２４）についてあらかじめ定義されたしきい値より高い電力を有する少なくとも１つのチャネルインパルス応答の１つまたは複数の時間間隔に関連する少なくとも１つの複素係数を受信し、
あらかじめ定義されたしきい値より高い電力を有する前記少なくとも１つのチャネルインパルス応答に基づいて、前記少なくとも１つの接続（ＣＨ１３〜ＣＨ２４）に無線伝送のパラメータを割り当てる、
ように構成された少なくとも１つの処理手段を含む、ネットワーク要素（ＢＳ）。
【請求項１０】
前記ネットワーク要素（ＢＳ）が基地局である、請求項８に記載のネットワーク要素（ＢＳ）。
【請求項１１】
請求項６に記載の少なくとも１つのネットワーク要素（ＭＳ）と、請求項８に記載の少なくとも１つのネットワーク要素（ＢＳ）を備える、無線通信ネットワーク。
【発明の詳細な説明】
【技術分野】
【０００１】
本発明は、請求項１のプリアンブルによる無線伝送のパラメータを割り当てるための方法、請求項７のプリアンブルによるネットワーク要素、請求項９のプリアンブルによるネットワーク要素、および請求項１１のプリアンブルによる無線通信ネットワークに関する。
【背景技術】
【０００２】
例えば３ＧＰＰ  ＬＴＥ（Ｔｈｉｒｄ  Ｇｅｎｅｒａｔｉｏｎ  Ｐａｒｔｎｅｒｓｈｉｐ  Ｐｒｏｊｅｃｔ  Ｌｏｎｇ  Ｔｅｒｍ  Ｅｖｏｌｕｔｉｏｎ、第３世代パートナーシップ・プロジェクト長期エボリューション）またはＷＩＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）のような無線通信システムでは、例えば多入力多出力（ＭＩＭＯ）技術に利用されるアンテナ・ダイバーシティを使用して、例えばスペクトル効率およびダイバーシティによって達成される高データレートを提供する。
【０００３】
直交周波数分割多重（ＯＦＤＭ）が、例えばブロードバンドＭＩＭＯシステムで使用されて、周波数選択チャネルを狭帯域のフラットフェージング・サブチャネルのセットに分割することが可能である。このようなフラットフェージング・サブチャネルは、例えば高データレートを達成するために干渉調整を利用するネットワークにおいて使用されることが可能である。
【０００４】
ＭＩＭＯ−ＯＦＤＭシステムの最適化のためには、送信側において、様々なチャネルの振幅および位相に関する情報が必要である。このような情報は、一般に受信機から送信機へチャネル状態情報（ＣＳＩ）の形式でフィードバックされる。チャネル状態情報（ＣＳＩ）は、例えば適切なアンテナウェイト、または変調および符号化方式を選択するためのように、無線伝送のパラメータを割り当てるために、送信機側においてほぼすべてのＭＩＭＯアルゴリズムによって要求される。
【０００５】
一方では、周波数選択度およびチャネルの時間的変化により、ならびに各送信アンテナから受信アンテナへのリンクに対してフィードバックを必要とすることによる大きさの増大により、ＣＳＩフィードバックは非常に大きくなり、シグナリング負荷のためにアップリンク容量を浪費する。
【０００６】
最新技術による手法は、各チャネルに対してチャネル伝達関数の複素係数を取得するために、各パイロットシンボルに対してある一定量のビット、例えば１６ビットをフィードバックすることである。このように、この手法に必要とされるフィードバックの量は極めて大きい。
【０００７】
別の標準的手法は、チャネルを時間領域に移し、チャネルインパルス応答（ＣＩＲ）をフィードバックすることである。やはりこれも、フィードバックに要するオーバーヘッドがかなり大きくなる。
【０００８】
他の先行技術の解決法によれば、時間もしくは周波数分解能またはフィードバックされるチャネル伝達関数の複素係数の粒度は低減される。しかしながら、このとき精度が失われ、その結果として無線伝送のパラメータを不適切に割り当てることになる可能性がある。
【０００９】
先行技術によるＭＩＭＯ−ＯＦＤＭネットワークにおけるフィードバックを削減するための方法は、ベクトル量子化圧縮を使用して、ＭＩＭＯ−ＯＦＤＭデバイス間の通信を最適化するために送信機へ送信されるよう要求されるフィードバックデータのサイズを制限する。有限状態のベクトル量子化フィードバックでは、最適なプリコーディング行列がサブキャリアを通して連続的に選択される。あるサイズのコードブックから第１のプリコーディング行列を選択した後に、事前の決定により、サブキャリアごとの時間変化がより小さいコードブックからその後のプリコーディング行列が選択される。フィードバックを削減するこのような方法は、例えば米国特許出願公開２００７／００２９７５２９号明細書に記載されている。
【００１０】
しかしながら、この方法は、ＣＳＩフィードバックを削減する代わりに、サブキャリアごとのコードブックのサイズを削減する、ゆえに最適なプリコーディング行列のフィードバック用のビットの必要量を削減することによってフィードバックを削減する。送信機側で使用されるＭＩＭＯアルゴリズムが、最適なプリコーディング行列に関する情報に加えてＣＳＩ情報を必要とする場合、最適なプリコーディング行列に関する情報に加えて膨大な量のＣＳＩフィードバックが送信機に送信されなければならない。
【００１１】
したがってチャネルフィードバックのための上述の手法のすべてについて、情報が失われるか、または必要とされるフィードバックの帯域幅が高すぎるかであると言うことができる。
【先行技術文献】
【特許文献】
【００１２】
【特許文献１】米国特許出願公開第２００７／００２９７５２９号明細書
【発明の概要】
【発明が解決しようとする課題】
【００１３】
したがって、高データレートおよび同時にデータ伝送のための十分なアップリンク容量につながる高いチャネル品質を有するために、チャネル状態に関する重要な情報を低損失で、チャネル状態のフィードバックを削減することが必要とされている。
【課題を解決するための手段】
【００１４】
ゆえに本発明の目的は、受信機から送信機へフィードバックされるチャネル状態に関連する情報に基づいて、重要な情報について低損失である前記情報のフィードバックの圧縮を利用した、無線通信ネットワークにおいて無線伝送のパラメータを割り当てるための方法を提案することである。
【００１５】
この目的は、請求項１の教示により無線伝送のパラメータを割り当てる方法、請求項７の教示によるネットワーク要素、請求項９の教示によるネットワーク要素、および請求項１１の教示による無線通信ネットワークによって達成される。
【００１６】
本発明の本旨は、チャネル状態に関する情報のフィードバックを圧縮するために、いわゆるレイク受信機の原理を使用することである。レイク受信機は、例えば符号分割多元接続（ＣＤＭＡ）から知られる、マルチパス・フェージングの影響に対処するために設計された、純粋な受信機の技術である。本発明によれば、無線ネットワークにおけるフィードバックを圧縮するためにレイク受信機の技術原理が使用され、これは全く新しい状況における系統的な方向を示すものである。
【００１７】
本発明によれば、送信機のアンテナと受信機のアンテナとの間の接続のために時間領域におけるチャネルインパルス応答が測定され、あらかじめ定義されたしきい値より高い電力を有する上記チャネルインパルス応答の時間間隔に関連するチャネルインパルス応答の複素係数のみがフィードバックされる。無線送信のパラメータは、フィードバックされるチャネルインパルス応答に基づいて上記接続に割り当てられる。
【００１８】
本発明のさらなる発展は、従属請求項および次の説明から収集される。
【００１９】
以下では、本発明は添付の図面を参照してさらに説明される。
【図面の簡単な説明】
【００２０】
【図１】本発明により圧縮されたチャネル状態情報のアップリンクフィードバックが実行されることが可能である無線通信ネットワークの一部としてマルチアンテナ基地局およびマルチアンテナ移動端末を概略的に示す図である。
【図２】いくつかのチャネルの瞬時チャネルインパルス応答からの、いわゆる長期レイク・フィンガおよび関連する複素係数の導出を概略的に示す図である。
【発明を実施するための形態】
【００２１】
本発明が実施されることが可能である無線通信ネットワークは、移動端末または基地局のような様々なネットワーク要素を含む。
【００２２】
図１は、一例として、無線通信ネットワークの一部として基地局ＢＳおよび移動端末ＭＳを示す。
【００２３】
基地局ＢＳは、例示的に無線信号を送受信するように構成された２つのアンテナＡ１およびＡ２を含む。
【００２４】
基地局ＢＳは、無線伝送を使用するネットワークの基地局の機能を備え、すなわち基地局は、移動端末が上記ネットワークと接続できるように、また無線伝送によって上記移動端末のデータ交換ができるようにする。
【００２５】
さらに本発明による基地局ＢＳは、上記基地局のアンテナとさらなるネットワーク要素のアンテナとの間の少なくとも１つの接続についてあらかじめ定義されたしきい値より高い電力を有する少なくとも１つのチャネルインパルス応答の１つまたは複数の時間間隔と関連する少なくとも１つの複素係数を受信し、あらかじめ定義されたしきいちより高い電力を有する少なくとも１つのチャネルインパルス応答に基づいて上記少なくとも１つの接続にリソースを割り当てるように構成された少なくとも１つの処理手段を含む。
【００２６】
移動端末ＭＳは、例示的に無線信号を送受信するように構成された２つのアンテナＡ３およびＡ４を含む。
【００２７】
移動端末ＭＳは、無線伝送を使用するネットワークにおいて信号を送受信するための移動端末の機能を含む。
【００２８】
さらに、本発明による移動端末ＭＳは、さらなるネットワーク要素のアンテナと移動端末ＭＳのアンテナとの間の少なくとも１つの接続に対して時間領域において少なくとも１つのチャネルインパルス応答を測定し、上記少なくとも１つのチャネルインパルス応答の電力をあらかじめ定義されたしきい値と比較し、上記あらかじめ定義されたしきい値より高い電力を有する上記少なくとも１つのチャネルインパルス応答の１つまたは複数の時間間隔と関連する少なくとも１つの複素係数のみを送信するように構成された少なくとも１つの処理手段を含む。
【００２９】
移動端末ＭＳのアンテナＡ３およびＡ４のそれぞれは、図１に両方向矢印で表されたＭＩＭＯチャネルＣＨ１３〜ＣＨ２４によって基地局ＢＳのそれぞれと接続される。基地局ＢＳは、次にコアネットワークに接続されるが、簡単にするためにこれは図１では示していない。
【００３０】
基地局ＢＳは、上記ＭＩＭＯチャネルＣＨ１３〜ＣＨ２４のそれぞれを通じてダウンリンクにおいてデータおよびパイロットを送信する。基本的なダウンリンク伝送は、図１では基地局ＢＳから移動端末ＭＳまでの破線矢印で示されている。移動端末ＭＳは、上記データおよびパイロットを受信し、好ましくは上記パイロットを使用してチャネル推定を行い、その結果、アンテナ間のリンクごとに、すなわち各ＭＩＭＯチャネルＣＨ１３〜ＣＨ２４について、およびサブキャリアごとに、いわゆるチャネル伝達関数（ＣＴＦ）が得られる。
【００３１】
移動端末ＭＳで行われる逆高速フーリエ変換（ＩＦＦＴ）によって、上記チャネル伝達関数（ＣＴＦ）は周波数領域から時間領域へ移すことが可能であり、その結果各アンテナ間のリンクについてチャネルインパルス応答（ＣＩＲ）が得られる。
【００３２】
図２の第１の列には、各アンテナ間のリンクについて、すなわち各ＭＩＭＯチャネルＣＨ１３〜ＣＨ２４について、時間によるチャネルインパルス応答の振幅が示されている。送信アンテナｌから受信アンテナｍまでのあるＭＩＭＯチャネルのチャネルインパルス応答は、次の式によるチャネルインパルス応答関数ｈｌ，ｍ（ｔ）で表されることが可能である：
【００３３】
【数１】
2011526108.tif 000003
上式では、Ｎはインパルスの数であり、τｎは数ｎで示されるインパルスの時間遅延であり、
【数２】
2011526108.tif 000004
は、振幅ρｌ，ｍ，ｎおよび位相φｌ，ｍ，ｎで定義されるインパルス数ｎの複素係数を表す。
【００３４】
レイク受信機で行われる手順と同様の移動端末ＭＳで行われるパスプロファイリング手順を使用して、チャネルインパルス応答の最も重要なタップ、すなわち最大の電力を有するタップを識別する。上記タップは、レイク受信機のアーキテクチャではフィンガと呼ばれる。
【００３５】
本発明の一実施形態では、各単一のアンテナ間のリンクのチャネルインパルス応答の振幅が時間平均化され、最大電力を有するタップがフィンガとして識別される。
【００３６】
図２に示す実施形態によるパスプロファイリングは、例えば一次不定詞インパルス応答フィルタなどのローパスフィルタを使用して、時間にわたって、かつすべてのアンテナ間のリンクにわたってチャネルインパルス応答の絶対値、すなわち振幅を平均化することによって実現される。
【００３７】
好ましくは、上記ローパスフィルタは、フィルタリング処理において過去および現在のデータの重要性を重み付けする一定の忘却係数を用いて適用される。
【００３８】
本発明の一実施形態では、１つの瞬間にチャネルを１つだけ実現する必要があるとき、ローパスフィルタは省かれる。
【００３９】
時間またはアンテナ間のリンクにわたる上記平均化は、結果として高速フェージング成分がなく、電力遅延プロファイルと呼ばれるチャネルインパルス応答をもたらす。時間およびアンテナにわたって平均化されたこのような電力遅延プロファイル、すなわちチャネルインパルス応答が図２に示されている。
【００４０】
上記電力遅延プロファイルでは、最大タップがフィンガに割り当てられることが可能である。例えばノイズレベル、干渉レベル、および一定のマージンの組合せによって定義された、または移動端末ＭＳ内の受信機の感度レベルによって定義された一定のしきい値を下回るすべてのタップは、ノイズ・フィンガのためにフィードバック・リソースを無駄にしないように削除される。図２では、しきい値は破線で示されている。
【００４１】
好ましくは、フィンガの割当てにおいて、ＯＦＤＭサンプリングレートの範囲内である、選択されたフィンガ間のある一定の最小距離が維持される。
【００４２】
本発明の一実施形態では、許容されるフィンガの数は、フィードバックの削減と複雑さとの折り合いを微調整するためのパラメータである。
【００４３】
時間およびアンテナにわたって平均化されたチャネルインパルス応答の振幅が上記一定のしきい値より高い時間間隔について、すなわちフィンガについて、チャネルインパルス応答の複素係数が各アンテナ間リンクについて決定される。好ましくは、チャネルインパルス応答は、上記時間間隔において上記複素係数を決定する前に、各アンテナ間リンクについて時間平均化される。言い換えれば、複素係数は、各アンテナ間リンクについて瞬時チャネルインパルス応答から割り当てられたフィンガの遅延τで取得される。
【００４４】
図２の下部には、時間による各アンテナ間リンクＣＨ１３〜ＣＨ２４について、上記フィンガの、すなわち上記時間間隔におけるチャネルインパルス応答の複素係数、
【数３】
2011526108.tif 000005
（以下、ρｎｅｉφｎと表現する）の振幅が示されている。
【００４５】
フィンガの上記複素係数ρｎｅｉφｎおよびその時間における位置、すなわちフィンガの遅延τは、好ましくは高速フェージングの粒度で移動端末ＭＳから基地局ＢＳへフィードバックされ、例えば複素係数ρｎｅｉφｎは、ミリ秒ごとに、またはより速く更新される。複素係数ρｎｅｉφｎの更新間隔は、それぞれのチャネルのコヒーレンス時間に一致することが好ましい。コヒーレンス時間の決定は、例えば移動端末ＭＳの速度の推定値に基づかれ、これはさらにドップラー周波数の決定に使用される。
【００４６】
したがって、フィードバックの圧縮効果は、チャネルインパルス応答を、最も重要なマルチパス伝搬成分のみが含まれるフィンガのチャネルインパルス応答に削減することからもたらされる。
【００４７】
好ましい実施形態では、フィンガ遅延、すなわちフィンガの時間における位置、および時間またはアンテナリンクにわたって平均化されたチャネルインパルス応答のフィンガの電力もしくは振幅は、上記パラメータは単にゆっくりフェージングするので、例えば数秒もしくは数百ミリ秒のオーダーで、長期ベースで移動端末ＭＳから基地局ＢＳへフィードバックされる。あるいはフィンガ遅延は、電力遅延プロファイルにおける重大な変更が発生するときは必ずフィードバックされる。
【００４８】
別の好ましい実施形態では、上記フィンガの、すなわち各アンテナ間リンクの上記時間間隔におけるチャネルインパルス応答の複素係数ρｎｅｉφｎは、実振幅の時間平均値、すなわち上記フィンガの時間平均電力、および上記フィンガの複素係数ρｎｅｉφｎの可変複素部分から成り、これは上記フィンガの時間平均電力よりも高速のフェージングである。実振幅の上記時間平均値に関する情報が、上記フィンガの複素係数ρｎｅｉφｎの可変複素部分より少ない頻度で移動端末ＭＳから基地局ＢＳへフィードバックされる。
【００４９】
したがって、さらなるフィードバックの圧縮効果は、上記フィンガの遅延とその平均電力はゆっくりと、すなわちゆっくりとフェージングする時間の尺度で変化しており、上記フィンガの上記遅延およびその平均電力に関する情報は、上記フィンガの複素係数ρｎｅｉφｎの可変複素部分より少ない頻度で報告されるという事実を利用する。
【００５０】
好ましくは、上記フィンガの複素係数ρｎｅｉφｎの可変複素部分のフィードバックに使用されるビット数は、長期ベースで利用できるフィンガの平均電力の中にすでに複素振幅情報の一部が含まれているという事実により削減される。言い換えれば、上記フィンガの複素係数ρｎｅｉφｎの可変複素部分のフィードバックに使用されるビットの量は、上記時間間隔における上記フィンガの複素係数ρｎｅｉφｎから実振幅の時間平均値の最大偏差を示すために必要とされるビットの量に制限される。
【００５１】
ゆえに、別のフィードバックの圧縮効果は、上記フィンガの複素係数ρｎｅｉφｎの残りの高速フェージング可変複素部分の表示が、平均ダイナミックレンジは上記フィンガの平均電力にすでに含まれているのでビットの数を削減されるという事実に基づいている。
【００５２】
移動端末ＭＳから基地局ＢＳにフィードバックされるチャネルインパルス応答に関する情報は、例えばアンテナウェイト、変調および符号化方式、または伝送電力のような無線伝送のパラメータを、基地局ＢＳのアンテナＡ１、Ａ２と移動端末のアンテナＡ３、Ａ４との接続に割り当てるために、基地局ＢＳによって使用される。
【００５３】
本発明は、フィンガの数、ならびにフィンガの平均電力のフィードバックおよび上記フィンガの複素係数ρｎｅｉφｎに使用されるビットの数でパラメータ化することができる。
【００５４】
上記のフィードバックの圧縮により、貴重なフィードバック帯域幅が節約されて、チャネルインパルス応答のフィードバックの代わりにアップリンクにおけるデータ伝送が可能になる。本発明は拡張可能およびパラメータ化可能であるので、本発明により各伝送シナリオについてパフォーマンスとフィードバックの量の最良の折り合いを見つけることができる。
【００５５】
例えば、毎秒２０００００パイロットのフィードバックを行う現在の５ＭＨｚ  ＬＴＥに１６ビットの分解能を有する技術の状態によればチャネル状態情報の完全なフィードバックには、３．２Ｍｂｉｔ／ｓのフィードバック帯域幅を必要とする。
【００５６】
１０フィンガを使用する本発明によるレイクベースのフィードバックは、例えばフィンガ遅延および上記フィンガの平均電力を伝送するために１００ビットの領域において複素係数プラス数長期ビットに、０．３２Ｍｂｉｔ／ｓのフィードバック帯域幅を必要とする。
【００５７】
したがってこの例については、レイク圧縮は、技術水準のフィードバックの状態のほぼ１０倍を達成する。
【００５８】
必要とされるフィンガの量およびそれに対応するビットの数の分解能は、伝搬状況によって決まるため、調査されなければならない。
【００５９】
本発明は、ＭＩＭＯ−ＯＦＤＭシステムに対して説明したが、本発明の応用はこのようなシステムに限定されず、例えば基地局ＢＳと原則として周波数分割を適用しない移動端末ＭＳとの間の１つのアンテナ間リンクのみを有するシステムにも適用できる。
【００６０】
本発明は、移動端末ＭＳから基地局ＢＳへのチャネルインパルス応答のフィードバックの場合について説明した。しかしながら、本発明は、例えば２つの基地局間など、いかなる種類のネットワーク要素間の無線伝送のパラメータの割当てにも適用できる。
【図１】
2011526108.tif 000006
【図２】
2011526108.tif 000007
【国際調査報告】
2011526108.tif 000008
2011526108.tif 000009